(57)【要約】【課題】発電部の発電電力と蓄電部の出力電力とのうち、動作に使用している電力をユーザーに知らせつつ、蓄電部の充電を行うべきか否かをユーザーに知らせることができる。【解決手段】発電部１０は、受光面に照射される光に応じた電力を発電する。蓄電部２０は、発電部１０が発電した電力を蓄電し、蓄電した電力を出力する。発電電圧検出部５１は、発電部１０が発電した電力の電圧を検出する。蓄電電圧検出部５２は、蓄電部２０が出力する電力の電圧を検出する。表示部６０は文字や画像を表示する。表示制御部５３は、発電電圧検出部５１が検出した発電部１０が発電した電力の電圧と、蓄電電圧検出部５２が検出した蓄電部２０が出力する電力の電圧とに基づいて、表示部６０が表示する表示内容を変更する。【選択図】図１
2012251945.tif 000002
【特許請求の範囲】
【請求項１】
受光面に照射される光に応じた電力を発電する発電部と、
前記発電部が発電した電力を蓄電し、当該蓄電した電力を出力する蓄電部と、
前記発電部が発電した電力の電圧を検出する発電電圧検出部と、
前記蓄電部が出力する電力の電圧を検出する蓄電電圧検出部と、
文字や図形を表示する表示部と、
前記発電電圧検出部が検出した前記発電部が発電した電力の電圧と、前記蓄電電圧検出部が検出した前記蓄電部が出力する電力の電圧とに基づいて、前記表示部が表示する表示内容を変更する表示制御部と、
を備えることを特徴とする電子機器。
【請求項２】
前記表示制御部は、前記発電部が発電した電力の電圧が、前記蓄電部を充電することができる電圧以上であるか否かに基づいて、前記表示部に表示する表示内容を変更する
ことを特徴とする請求項１に記載の電子機器。
【請求項３】
時刻を示す情報を出力する時計部
を備え、
前記表示制御部は、前記蓄電部が出力する電力の電圧が、前記時刻を示す情報に基づいた時刻表示を前記表示部に表示させる制御を行うことができる電圧以上であるか否かに基づいて、前記表示部に表示する表示内容を変更する
ことを特徴とする請求項１または請求項２のいずれか１項に記載の電子機器。
【請求項４】
前記表示制御部は、前記蓄電部が出力する電力の電圧が、前記時刻を示す情報に基づいた時刻表示を前記表示部に表示させる制御を行うことができる電圧以上である場合、前記表示部に前記時刻表示を表示させ、前記蓄電部が出力する電力の電圧が、前記時刻を示す情報に基づいた時刻を前記表示部に表示させる制御を行うことができる電圧未満である場合、前記表示部に前記時刻表示を表示させない
ことを特徴とする請求項３に記載の電子機器。
【請求項５】
前記表示制御部は、前記発電部が発電した電力の電圧が、前記蓄電部を充電することができる電圧以上である場合、前記蓄電部を充電することができることを示す文字または図形を前記表示部に表示させる
ことを特徴とする請求項１から請求項４のいずれか１項に記載の電子機器。
【請求項６】
前記表示制御部は、前記発電部の発電量に応じて、前記蓄電部を充電することができることを示す文字または図形の形状を変更する
ことを特徴とする請求項５に記載の電子機器。
【請求項７】
前記表示制御部は、前記発電部の発電量に応じて、前記時刻表示の表示方法を変更する
ことを特徴とする請求項３に記載の電子機器。
【請求項８】
前記表示制御部は、前記発電電圧検出部が検出した前記発電部が発電した電力の電圧と、前記蓄電電圧検出部が検出した前記蓄電部が出力する電力の電圧とに基づいて、前記表示部が表示する表示内容のコントラストを変更する
ことを特徴とする請求項１から請求項７のいずれか１項に記載の電子機器。
【請求項９】
受光面に照射される光に応じた電力を発電する発電部と、
前記発電部が発電した電力を蓄電し、当該蓄電した電力を出力する蓄電部と、
前記発電部が発電した電力の電圧を検出する発電電圧検出部と、
前記蓄電部が出力する電力の電圧を検出する蓄電電圧検出部と、
時刻を示す情報を出力する時計部と、
時刻表示や文字や図形を表示する表示部と、
前記発電電圧検出部が検出した前記発電部が発電した電力の電圧と、前記蓄電電圧検出部が検出した前記蓄電部が出力する電力の電圧とに基づいて、前記表示部が表示する表示内容を変更する表示制御部と、
を備えることを特徴とする電子時計。
【請求項１０】
受光面に照射される光に応じた電力を発電する発電部が発電した電力の電圧を検出する発電電圧検出ステップと、
前記発電部が発電した電力を蓄電する蓄電部が出力する電力の電圧を検出する蓄電電圧検出ステップと、
文字や図形を表示する表示ステップと、
前記発電電圧検出ステップで検出した前記発電部が発電した電力の電圧と、前記蓄電電圧検出ステップで検出した前記蓄電部が出力する電力の電圧とに基づいて、表示ステップで表示する表示内容を変更する表示制御ステップと、
をコンピュータに実行させるためのプログラム。
【発明の詳細な説明】
【技術分野】
【０００１】
本発明は、電子機器、電子時計およびプログラムに関する。
【背景技術】
【０００２】
従来、発電手段と、発電手段から電気エネルギの供給をうけて駆動する計時制御手段と、計時制御手段の駆動により時刻の表示を行う表示手段と、発電手段の状態を検出する検出手段と、検出手段からの検出信号に基づいて発電手段が発電しているか否かを判断する判断手段を有し、判断手段の判断に基づき発電状態を表示手段に表示させる発電機能を備えた電子時計において、発電手段により発生させられた電気エネルギを蓄電し、計時制御手段に前記エネルギを供給する蓄電手段と、蓄電手段に蓄えられる電気エネルギの蓄電状態を検出する蓄電検出手段と、を有し、発電手段により発電された電気エネルギ量の絶対値が、予め決定された値より大きいときには通常の時刻表示を行い、発電手段により発電された電気エネルギ量の絶対値が前記値以下で、蓄電手段に蓄電されている電気エネルギ量の絶対値が予め決定された値よりも大きい場合に、通常の時刻表示と異なる時刻表示を行い、蓄電手段に蓄電されている電気エネルギの量の絶対値が予め決定された値よりも小さいときに、計時制御手段による時刻表示動作の一部又は全部を停止させることを特徴とする発電機能を備えた電子時計が知られている（例えば、特許文献１参照）。
【先行技術文献】
【特許文献】
【０００３】
【特許文献１】特許第４４８１４９７号公報
【発明の概要】
【発明が解決しようとする課題】
【０００４】
しかしながら、従来知られている電子時計では、発電手段により発電された電気エネルギ量の絶対値が予め決定された値より大きいときには常に通常の時刻表示を行うため、蓄電手段に蓄電されている電気エネルギの量をユーザーが知ることができない。そのため、ユーザーは、発電手段の発電電力と蓄電手段の出力電力とのうち、どちらの電力を動作に使用しているのかを知りつつ、蓄電手段の充電を行うべきか否かを知ることができないという問題がある。
【０００５】
そこで本発明は、上述の事情を鑑みてなされたものであり、発電部の発電電力と蓄電部の出力電力とのうち、動作に使用している電力をユーザーに知らせつつ、蓄電部の充電を行うべきか否かをユーザーに知らせることができる電子機器、電子時計およびプログラムを提供することを目的とする。
【課題を解決するための手段】
【０００６】
本発明は、受光面に照射される光に応じた電力を発電する発電部と、前記発電部が発電した電力を蓄電し、当該蓄電した電力を出力する蓄電部と、前記発電部が発電した電力の電圧を検出する発電電圧検出部と、前記蓄電部が出力する電力の電圧を検出する蓄電電圧検出部と、文字や図形を表示する表示部と、前記発電電圧検出部が検出した前記発電部が発電した電力の電圧と、前記蓄電電圧検出部が検出した前記蓄電部が出力する電力の電圧とに基づいて、前記表示部が表示する表示内容を変更する表示制御部と、を備えることを特徴とする電子機器である。
【０００７】
また、本発明の電子機器において、前記表示制御部は、前記発電部が発電した電力の電圧が、前記蓄電部を充電することができる電圧以上であるか否かに基づいて、前記表示部に表示する表示内容を変更することを特徴とする。
【０００８】
また、本発明は、時刻を示す情報を出力する時計部を備え、前記表示制御部は、前記蓄電部が出力する電力の電圧が、前記時刻を示す情報に基づいた時刻表示を前記表示部に表示させる制御を行うことができる電圧以上であるか否かに基づいて、前記表示部に表示する表示内容を変更することを特徴とする電子機器である。
【０００９】
また、本発明の電子機器において、前記表示制御部は、前記蓄電部が出力する電力の電圧が、前記時刻を示す情報に基づいた時刻表示を前記表示部に表示させる制御を行うことができる電圧以上である場合、前記表示部に前記時刻表示を表示させ、前記蓄電部が出力する電力の電圧が、前記時刻を示す情報に基づいた時刻を前記表示部に表示させる制御を行うことができる電圧未満である場合、前記表示部に前記時刻表示を表示させないことを特徴とする。
【００１０】
また、本発明の電子機器において、前記表示制御部は、前記発電部が発電した電力の電圧が、前記蓄電部を充電することができる電圧以上である場合、前記蓄電部を充電することができることを示す文字または図形を前記表示部に表示させることを特徴とする。
【００１１】
また、本発明の電子機器において、前記表示制御部は、前記発電部の発電量に応じて、前記蓄電部を充電することができることを示す文字または図形の形状を変更することを特徴とする。
【００１２】
また、本発明の電子機器において、前記表示制御部は、前記発電部の発電量に応じて、前記時刻表示の表示方法を変更することを特徴とする。
【００１３】
また、本発明の電子機器において、前記表示制御部は、前記発電電圧検出部が検出した前記発電部が発電した電力の電圧と、前記蓄電電圧検出部が検出した前記蓄電部が出力する電力の電圧とに基づいて、前記表示部が表示する表示内容のコントラストを変更することを特徴とする。
【００１４】
また、本発明は、受光面に照射される光に応じた電力を発電する発電部と、前記発電部が発電した電力を蓄電し、当該蓄電した電力を出力する蓄電部と、前記発電部が発電した電力の電圧を検出する発電電圧検出部と、前記蓄電部が出力する電力の電圧を検出する蓄電電圧検出部と、時刻を示す情報を出力する時計部と、時刻表示や文字や図形を表示する表示部と、前記発電電圧検出部が検出した前記発電部が発電した電力の電圧と、前記蓄電電圧検出部が検出した前記蓄電部が出力する電力の電圧とに基づいて、前記表示部が表示する表示内容を変更する表示制御部と、を備えることを特徴とする電子時計である。
【００１５】
また、本発明は、受光面に照射される光に応じた電力を発電する発電部が発電した電力の電圧を検出する発電電圧検出ステップと、前記発電部が発電した電力を蓄電する蓄電部が出力する電力の電圧を検出する蓄電電圧検出ステップと、文字や図形を表示する表示ステップと、前記発電電圧検出ステップで検出した前記発電部が発電した電力の電圧と、前記蓄電電圧検出ステップで検出した前記蓄電部が出力する電力の電圧とに基づいて、表示ステップで表示する表示内容を変更する表示制御ステップと、をコンピュータに実行させるためのプログラムである。
【発明の効果】
【００１６】
本発明によれば、発電部は受光面に照射される光に応じた電力を発電する。また、蓄電部は、発電部が発電した電力を蓄電し、当該蓄電した電力を出力する。また、発電電圧検出部は、発電部が発電した電力の電圧を検出する。また、蓄電電圧検出部は、蓄電部が出力する電力の電圧を検出する。また、表示部は文字や図形を表示する。また、表示制御部は、発電電圧検出部が検出した発電部が発電した電力の電圧と、蓄電電圧検出部が検出した蓄電部が出力する電力の電圧とに基づいて、表示部が表示する表示内容を変更する。これにより、表示部が表示する表示内容は、発電部の発電電力の電圧と蓄電部の出力電力の電圧とに基づいた表示内容となるため、発電部の発電電力と蓄電部の出力電力とのうち、動作に使用している電力をユーザーに知らせつつ、蓄電部の充電を行うべきか否かをユーザーに知らせることができる。
【図面の簡単な説明】
【００１７】
【図１】本発明の一実施形態における電子時計の構成を示したブロック図である。
【図２】本実施形態において、蓄電部が出力する電力の電圧が第１の所定電圧以上、かつ発電部が発電する電力の電圧が第２の所定電圧以上の場合に、表示部が表示する表示画面を示した概略図である。
【図３】本実施形態において、蓄電部が出力する電力の電圧が第１の所定電圧以上、かつ発電部が発電する電力の電圧が第２の所定電圧未満の場合に、表示部が表示する表示画面を示した概略図である。
【図４】本実施形態において、蓄電部が出力する電力の電圧が第１の所定電圧未満、かつ発電部が発電する電力の電圧が第２の所定電圧以上の場合、または、蓄電部が出力する電力の電圧が第１の所定電圧未満、かつ発電部が発電する電力の電圧が第２の所定電圧未満の場合に、表示部が表示する表示画面を示した概略図である。
【図５】本実施形態において、蓄電部が出力する電力の電圧が第１の所定電圧未満、かつ発電部が発電する電力の電圧が第２の所定電圧以上の場合に、表示部が表示する表示画面を示した概略図である。
【図６】本実施形態において、蓄電部が出力する電力の電圧が第１の所定電圧未満、かつ発電部が発電する電力の電圧が第２の所定電圧未満の場合に、表示部が表示する表示画面を示した概略図である。
【図７】本実施形態において、発電部の発電量に応じて表示を変更する場合の太陽マークの表示を示した概略図である。
【図８】本実施形態において、発電部の発電量に応じて表示を変更する場合の太陽マークの表示を示した概略図である。
【図９】本実施形態において、発電部の発電量に応じて表示部に表示している文字や画像などのコントラストを変更する場合に、表示部が表示する表示画面を示した概略図である。
【図１０】本実施形態において、発電部の発電量に応じて表示部に表示している文字や画像などのコントラストを変更する場合に、表示部が表示する表示画面を示した概略図である。
【図１１】本実施形態において、発電部の発電量と蓄電部の蓄電量とに応じて、表示部に表示している文字や画像などのコントラストを変更する場合に、表示部が表示する表示画面を示した概略図である。
【図１２】本実施形態において、発電部の発電量に応じて表示を変更する場合の時刻表示の表示例を示した概略図である。
【図１３】本実施形態において、発電部の発電量に応じて表示を変更する場合の時刻表示の表示例を示した概略図である。
【発明を実施するための形態】
【００１８】
以下、本発明の一実施形態について、図面を参照しながら説明する。本実施形態では、電子機器の一例として、発電部を備えた電子時計の例を用いて説明する。図１は、本実施形態における電子時計１（電子機器）の構成を示したブロック図である。図示する例では、電子時計１は、発電部１０と、蓄電部２０と、時計部３０と、記憶部４０と、制御部５０と、表示部６０とを備える。
【００１９】
発電部１０は光を受光する受光面を備えた太陽電池であり、受光した（照射された）光に応じた電力を発電して蓄電部２０を充電する。蓄電部２０は、充電可能な二次電池であり、発電部１０が発電した電力を蓄電する。また、蓄電部２０は、蓄電した電力を電子時計１が備える各部に対して出力（供給）する。時計部３０は、現在の時刻を示す情報を出力する。記憶部４０は、ＲＯＭ（Ｒｅａｄ  Ｏｎｌｙ  Ｍｅｍｏｒｙ、読み出し専用メモリ）や、ＲＡＭ（Ｒａｎｄｏｍ  Ａｃｃｅｓｓ  Ｍｅｍｏｒｙ、ランダムアクセスメモリ）などであり、制御部５０が実行するプログラムや、電子時計１が用いるデータなどを記憶する。
【００２０】
制御部５０は、電子時計１が備える各部の制御を行う。また、制御部５０は、発電電圧検出部５１と、蓄電電圧検出部５２と、表示制御部５３とを備える。発電電圧検出部５１は、発電部１０が発電した電力の電圧と、発電部１０が発電した電力の電圧に基づいて発電部１０の発電量を検出する。蓄電電圧検出部５２は、蓄電部２０が出力する電力の電圧と、蓄電部２０が出力する電力の電圧に基づいて蓄電部２０の蓄電量を検出する。表示制御部５３は、表示部６０を制御し、表示部６０に文字や画像などを表示させる。本実施形態では、表示制御部５３は、発電電圧検出部５１が検出した発電部１０が発電した電力の電圧と、蓄電電圧検出部５２が検出した蓄電部２０が出力する電力の電圧とに基づいて、表示部６０の表示内容を変更する。具体的な例については後述する。表示部６０は、表示制御部５３の制御に基づいて、文字や画像などを表示する
【００２１】
次に、表示制御部５３の制御に基づいて表示部６０が表示する表示画面について説明する。図２は、本実施形態において、蓄電部２０が出力する電力の電圧が第１の所定電圧以上、かつ発電部１０が発電する電力の電圧が第２の所定電圧以上の場合に、表示部６０が表示する表示画面を示した概略図である。図２に示した例では、表示部６０は、表示画面上部に時刻表示２０１を表示し、表示画面左下部に太陽マーク２０２を表示している。
【００２２】
なお、第１の所定電圧は、時計部３０が現在の時刻を示す情報を出力し、時計部３０が出力した現在の時刻を示す情報に基づいて表示制御部５３が表示部６０に時刻を表示させる動作（時刻表示動作）を行うことができる下限電圧である。また、第２の所定電圧は、蓄電部２０を充電することができる下限電圧である。すなわち、蓄電部２０が出力する電力の電圧が第１の所定電圧以上であれば、電子時計１は時刻を表示する動作を行うことができ、蓄電部２０が出力する電力の電圧が第１の所定電圧未満であれば、電子時計１は時刻を表示する動作を行うことができない。なお、蓄電部２０が出力する電力の電圧が第１の所定電圧未満であっても、表示部６０に最低限の表示を行うことができる電圧（停止電圧）以上であれば、電子時計１は表示部６０に画像や文字の表示を行うことができる。また、発電部１０が発電する電力の電圧が第２の所定電圧以上であれば、蓄電部２０を充電することができ、発電部１０が発電する電力の電圧が第２の所定電圧未満であれば、蓄電部２０を充電することができない。
【００２３】
蓄電部２０が出力する電力の電圧が第１の所定電圧以上、かつ発電部１０が発電する電力の電圧が第２の所定電圧以上の場合、すなわち、蓄電部２０は十分充電されており、発電部１０が発電する電力で蓄電部２０を充電することができる場合、電子時計１は、発電部１０が発電した電力を用いて動作する。また、この場合、電子時計１の表示制御部５３は表示部６０を制御し、図２に示したように、時刻表示２０１と太陽マーク２０２とを表示部６０に表示させる。従って、ユーザーは、この表示を確認することで、発電部１０が発電する電力を用いて電子時計１が動作していることを認識することができ、また、蓄電部２０には十分な電力が蓄電されているため、蓄電部２０の充電を行う必要がないことを認識することができる。
【００２４】
図３は、本実施形態において、蓄電部２０が出力する電力の電圧が第１の所定電圧以上、かつ発電部１０が発電する電力の電圧が第２の所定電圧未満の場合に、表示部６０が表示する表示画面を示した概略図である。図３に示した例では、表示部６０は、表示画面上部に時刻表示２０１を表示し、表示画面右下部に電池マーク２０３を表示している。蓄電部２０が出力する電力の電圧が第１の所定電圧以上、かつ発電部１０が発電する電力の電圧が第２の所定電圧未満の場合、すなわち、蓄電部２０は十分充電されているが、発電部１０が発電する電力では蓄電部２０を充電することができない場合、電子時計１は、蓄電部２０が出力した電力を用いて動作する。また、この場合、電子時計１は図３に示したとおり、表示部６０に時刻表示２０１と電池マーク２０３とを表示する。従って、ユーザーは、この表示を確認することで、蓄電部２０が出力する電力を用いて電子時計１が動作していることを認識することができ、また、蓄電部２０には十分な電力が蓄電されているため、蓄電部２０の充電を行う必要がないことを認識することができる。
【００２５】
なお、蓄電部２０の蓄電量に応じて電池マーク２０３の表示を変更することにより、蓄電部２０の蓄電量をより詳細にユーザーに知らせるようにしてもよい。例えば、蓄電部２０の蓄電量を、最大蓄電量の７５％〜１００％と、５０％〜７５％と、２５％〜５０％と、０％〜２５％との４段階に分類し、分類ごとに電池マーク２０３の残量表示２０３１〜２０３４の表示を変更する。なお、分類条件は上記の例に限らず、任意に設定することができる。なお、蓄電電圧検出部５２が蓄電部２０の蓄電量を検出し、表示制御部５３が蓄電部２０の蓄電量に基づいて表示部６０に表示する電池マーク２０３の表示を制御する。
【００２６】
図４は、本実施形態において、蓄電部２０が出力する電力の電圧が第１の所定電圧未満、かつ発電部１０が発電する電力の電圧が第２の所定電圧以上の場合、または、蓄電部２０が出力する電力の電圧が第１の所定電圧未満、かつ発電部１０が発電する電力の電圧が第２の所定電圧未満の場合に、表示部６０が表示する表示画面を示した概略図である。図４に示した例では、表示部６０は、表示画面左下部に太陽マーク２０２を点滅表示している。
【００２７】
蓄電部２０が出力する電力の電圧が第１の所定電圧未満、かつ発電部１０が発電する電力の電圧が第２の所定電圧以上の場合、すなわち、蓄電部２０には、電子時計１が時刻表示動作を行うことができる電力が蓄電されていないが、発電部１０が発電する電力で蓄電部２０を充電することができる場合、電子時計１は、発電部１０が発電した電力で蓄電部２０の充電を行う。また、この場合、電子時計１は図４に示したとおり、表示部６０に電池マーク２０３を点滅表示する。また、蓄電部２０が出力する電力の電圧が第１の所定電圧未満、かつ発電部１０が発電する電力の電圧が第２の所定電圧未満の場合、すなわち、蓄電部２０には、電子時計１が時刻表示動作を行うことができる電力が蓄電されておらず、発電部１０が発電する電力で蓄電部２０を充電することができない場合、電子時計１は、図４に示したとおり、表示部６０に電池マーク２０３を点滅表示する。
【００２８】
従って、ユーザーは、図４に示した表示を確認することで、電子時計１は時刻表示動作を行うことができないことを認識することができ、蓄電部２０には電子時計１が時刻表示動作を行うのに十分な電力が蓄電されていないため、蓄電部２０の充電を行うべきであることを認識することができる。
【００２９】
なお、蓄電部２０が出力する電力の電圧が第１の所定電圧未満、かつ発電部１０が発電する電力の電圧が第２の所定電圧以上の場合に表示部６０が表示する表示画面と、蓄電部２０が出力する電力の電圧が第１の所定電圧未満、かつ発電部１０が発電する電力の電圧が第２の所定電圧未満の場合に表示部６０が表示する表示画面とを異なる表示画面としてもよい。
【００３０】
図５は、本実施形態において、蓄電部２０が出力する電力の電圧が第１の所定電圧未満、かつ発電部１０が発電する電力の電圧が第２の所定電圧以上の場合に、表示部６０が表示する表示画面を示した概略図である。図５に示した例では、表示部６０は、表示画面左下部に太陽マーク２０２を点滅表示し、表示画面右下部に電池マーク２０３を点滅表示している。蓄電部２０が出力する電力の電圧が第１の所定電圧未満、かつ発電部１０が発電する電力の電圧が第２の所定電圧以上の場合、すなわち、蓄電部２０には、電子時計１が時刻表示動作を行うことができる電力が蓄電されていないが、発電部１０が発電する電力で蓄電部２０を充電することができる場合、電子時計１は、発電部１０が発電した電力で蓄電部２０の充電を行う。また、この場合、電子時計１は図５に示したとおり、表示部６０に太陽マーク２０２と電池マーク２０３とを点滅表示する。従って、ユーザーは、この表示を確認することで、蓄電部２０には電子時計１が時刻表示動作を行うことができる電力が蓄電されていないため蓄電部２０の充電を行うべきであるが、発電部１０が発電する電力で蓄電部２０を充電していることを認識することができる。
【００３１】
図６は、本実施形態において、蓄電部２０が出力する電力の電圧が第１の所定電圧未満、かつ発電部１０が発電する電力の電圧が第２の所定電圧未満の場合に、表示部６０が表示する表示画面を示した概略図である。図６に示した例では、表示部６０は、表示画面右下部に電池マーク２０３を点滅表示している。蓄電部２０が出力する電力の電圧が第１の所定電圧未満、かつ発電部１０が発電する電力の電圧が第２の所定電圧未満の場合、すなわち、蓄電部２０には電子時計１が時刻を表示する動作を行うことができる電力が蓄電されておらず、発電部１０が発電する電力で蓄電部２０を充電することができない場合、電子時計１は、図６に示したとおり、表示部６０に電池マーク２０３を点滅表示する。従って、ユーザーは、この表示を確認することで、蓄電部２０には電子時計１が時刻表示動作を行うことができる電力が蓄電されていないため蓄電部２０の充電を行うべきであるが、発電部１０が発電する電力で蓄電部２０を充電することができないことを認識することができる。これにより、ユーザーは、電子時計１を使用するためには、電子時計１を太陽などの光があたる場所に移動させるべきであることを認識することができる。
【００３２】
上述したとおり、本実施形態によれば、発電電圧検出部５１は、発電部１０が発電した電力の電圧を検出し、蓄電電圧検出部５２は、蓄電部２０が出力する電力の電圧を検出する。また、表示制御部５３は、発電電圧検出部５１が検出した発電部１０が発電した電力の電圧と、蓄電電圧検出部５２が検出した蓄電部２０が出力する電力の電圧とに基づいて、図２〜図６に示したように、表示部６０の表示内容を変更する。従って、電子時計１は、発電部１０が発電した電力を動作に用いているのか、蓄電部２０が蓄電した電力を動作に用いているのかをユーザーに知らせつつ、蓄電部２０の充電を行うべきか否かをユーザーに知らせることができる。また、電子時計１は、時刻表示２０１と、太陽マーク２０２と、電池マーク２０３との表示要素のみを用いるため、多数の表示要素を用いるよりも低消費電力で、発電部１０が発電した電力を動作に用いているのか、蓄電部２０が蓄電した電力を動作に用いているのかをユーザーに知らせつつ、蓄電部２０の充電を行うべきか否かをユーザーに知らせることができる。
【００３３】
なお、太陽マーク２０２の表示を変更することにより、発電部１０の発電量をより詳細にユーザーに知らせるようにしてもよい。図７は本実施形態において、発電部１０の発電量に応じて表示を変更する場合の太陽マーク２０２の表示を示した概略図である。図示する例では、発電部１０の発電量を、最大発電量の７５％〜１００％と、５０％〜７５％と、２５％〜５０％と、０％〜２５％との４段階に分類し、分類ごとに表示を変更している。なお、分類条件は上記の例に限らず、任意に設定することができる。なお、発電電圧検出部５１が発電部１０の発電量を検出し、表示制御部５３が発電部１０の発電量に基づいて表示部６０に表示する太陽マーク２０２の表示を制御する。
【００３４】
図７（ａ）は、発電部１０の発電量が、最大発電量の７５％〜１００％である場合に、表示部６０が表示する太陽マーク２０２を示している。図示する例では、太陽マーク２０２の全てが表示されている。図７（ｂ）は、発電部１０の発電量が、最大発電量の５０％〜７５％である場合に、表示部６０が表示する太陽マーク２０２を示している。図示する例では、太陽マーク２０２のうち、円部分２０２１と、円部分２１２１の上下左右に表示されている長方形部分２０２２とが表示されている。図７（ｃ）は、発電部１０の発電量が、最大発電量の２５％〜５０％である場合に、表示部６０が表示する太陽マーク２０２を示している。図示する例では、太陽マーク２０２のうち、円部分２０２１のみが表示されている。図７（ｄ）は、発電部１０の発電量が、最大発電量の０％〜２５％である場合に、表示部６０が表示する太陽マーク２０２を示している。図示する例では、太陽マーク２０２のうち、円部分２０２１の右半分のみが表示されている。
【００３５】
また、図７に示した表示内容に限らず、他の表示内容を用いて発電部１０の発電量をより詳細にユーザーに知らせるようにしてもよい。図８は、本実施形態において、発電部１０の発電量に応じて表示を変更する場合の太陽マーク２０２の表示を示した概略図である。図８（ａ）は、発電部１０の発電量が、最大発電量の７５％〜１００％である場合に、表示部６０が表示する太陽マーク２０２を示している。図示する例では、太陽マーク２０２の全てが表示されている。図８（ｂ）は、発電部１０の発電量が、最大発電量の５０％〜７５％である場合に、表示部６０が表示する太陽マーク２０２を示している。図示する例では、太陽マーク２０２のうち、円部分２０２１の全体と、円部分２１２１の周囲に表示されている長方形部分２０２２のそれぞれ半分が表示されている。図８（ｃ）は、発電部１０の発電量が、最大発電量の２５％〜５０％である場合に、表示部６０が表示する太陽マーク２０２を示している。図示する例では、太陽マーク２０２のうち、円部分２０２１のみが表示されている。図８（ｄ）は、発電部１０の発電量が、最大発電量の０％〜２５％である場合に、表示部６０が表示する太陽マーク２０２を示している。図示する例では、太陽マーク２０２のうち、円部分２０２１の右半分のみが表示されている。
【００３６】
また、表示部６０に表示している文字や画像などのコントラストを変更することで、発電部１０の発電量をより詳細にユーザーに知らせるようにしてもよい。図９、図１０は、本実施形態において、発電部１０の発電量に応じて表示部６０に表示している文字や画像などのコントラストを変更する場合に、表示部６０が表示する表示画面を示した概略図である。図示する例では、発電部１０の発電量を、最大発電量の５０％〜１００％と、０％〜５０％との２段階に分類し、発電部１０の発電量が、最大発電量の０％〜５０％である場合に、表示部６０が表示する表示画面を示している。なお、分類条件は上記の例に限らず、任意に設定することができる。なお、発電電圧検出部５１が発電部１０の発電量を検出し、表示制御部５３が発電部１０の発電量に基づいて表示部６０に表示する文字や画像などのコントラストを制御する。
【００３７】
図９に示す例では、発電部１０の発電量が、最大発電量の０％〜５０％である場合に、時刻表示２０１と太陽マーク２０２とのコントラストを低く表示している。図１０に示す例では、発電部１０の発電量が、最大発電量の０％〜５０％である場合に、太陽マーク２０２のみコントラストを低く表示している。なお、発電部１０の発電量が、最大発電量の５０％〜１００％である場合には、図２に示したように、時刻表示２０１と太陽マーク２０２とのコントラストを高く表示する。
【００３８】
また、表示部６０に表示している文字や画像などのコントラストを変更することで、発電部１０の発電量と蓄電部２０の蓄電量とをより詳細にユーザーに知らせるようにしてもよい。図１１は本実施形態において、発電部１０の発電量と蓄電部２０の蓄電量とに応じて、表示部６０に表示している文字や画像などのコントラストを変更する場合に、表示部６０が表示する表示画面を示した概略図である。図示する例では、発電部１０の発電量を、最大発電量の５０％〜１００％と、０％〜５０％との２段階に分類し、蓄電部２０の蓄電量を、最大蓄電量の５０％〜１００％と、０％〜５０％との２段階に分類し、分類ごとの組み合わせに応じて表示部６０が表示する表示画面を示している。なお、分類条件は上記の例に限らず、任意に設定することができる。なお、発電電圧検出部５１が発電部１０の発電量を検出し、蓄電電圧検出部５２が蓄電部２０の蓄電量を検出し、表示制御部５３が発電部１０の発電量と蓄電部２０の蓄電量とに基づいて表示部６０に表示する文字や画像などのコントラストを制御する。
【００３９】
具体的には、発電部１０の発電量が、最大発電量の５０％〜１００％である場合に、太陽マーク２０２のコントラストを高く表示し、最大発電量の０％〜５０％である場合に、太陽マーク２０２のコントラストを低く表示している。また、蓄電部２０の蓄電量が、最大蓄電量の５０％〜１００％である場合に、時刻表示２０１のコントラストを高く表示し、最大蓄電量の０％〜５０％である場合に、時刻表示２０１のコントラストを低く表示している。なお、発電電圧検出部５１が発電部１０の発電量を検出し、蓄電電圧検出部５２が蓄電部２０の蓄電量を検出し、表示制御部５３が発電部１０の発電量と蓄電部２０の蓄電量とに基づいて表示部６０に表示する文字や画像などのコントラストを制御する。このように、コントラストを低くすることで、より消費電力を削減することができる。
【００４０】
図１１（ａ）は、発電部１０の発電量が、最大発電量の５０％〜１００％であり、蓄電部２０の蓄電量が、最大蓄電量の５０％〜１００％である場合に、表示部６０が表示する表示画面を示している。図示する例では、時刻表示２０１と太陽マーク２０２とのコントラストが高く表示されている。図１１（ｂ）は、発電部１０の発電量が、最大発電量の０％〜５０％であり、蓄電部２０の蓄電量が、最大蓄電量の５０％〜１００％である場合に、表示部６０が表示する表示画面を示している。図示する例では、時刻表示２０１のコントラストが高く表示され、太陽マーク２０２のコントラストが低く表示されている。図１１（ｃ）は、発電部１０の発電量が、最大発電量の５０％〜１００％であり、蓄電部２０の蓄電量が、最大蓄電量の０％〜５０％である場合に、表示部６０が表示する表示画面を示している。図示する例では、時刻表示２０１のコントラストが低く表示され、太陽マーク２０２のコントラストが高く表示されている。図１１（ｄ）は、発電部１０の発電量が、最大発電量の０％〜５０％であり、蓄電部２０の蓄電量が、最大蓄電量の０％〜５０％である場合に、表示部６０が表示する表示画面を示している。図示する例では、時刻表示２０１と太陽マーク２０２とのコントラストが低く表示されている。
【００４１】
また、表示部６０に表示している時刻表示２０１の表示内容を変更することで、発電部１０の発電量をより詳細にユーザーに知らせるようにしてもよい。図１２は本実施形態において、発電部１０の発電量に応じて表示を変更する場合の時刻表示２０１の表示例を示した概略図である。図示する例では、発電部１０の発電量を、最大発電量の８０％〜１００％と、６０％〜８０％と、４０％〜６０％と、２０％〜４０％と、０％〜２０％との５段階に分類し、分類ごとに時刻表示２０１の表示内容を変更している。なお、分類条件は上記の例に限らず、任意に設定することができる。なお、発電電圧検出部５１が発電部１０の発電量を検出し、検出した発電部１０の発電量に基づいて、表示制御部５３が表示部６０に表示する時刻表示２０１の表示内容を制御する。
【００４２】
図１２（ａ）は、発電部１０の発電量が、最大発電量の８０％〜１００％である場合に、表示部６０が表示する時刻表示２０１を示している。図示する例では、時刻表示２０１のうち、時と、分と、秒との全てが表示されている。図１２（ｂ）は、発電部１０の発電量が、最大発電量の６０％〜８０％である場合に、表示部６０が表示する時刻表示２０１を示している。図示する例では、時刻表示２０１のうち、時と、分と、秒のうち１０秒単位の値とが表示され、秒のうち１秒単位の値の位置に横線「−」が表示されている。図１２（ｃ）は、発電部１０の発電量が、最大発電量の４０％〜６０％である場合に、表示部６０が表示する時刻表示２０１を示している。図示する例では、時刻表示２０１のうち、時と分とが表示され、秒が消灯されている。図１２（ｄ）は、発電部１０の発電量が、最大発電量の２０％〜４０％である場合に、表示部６０が表示する時刻表示２０１を示している。図示する例では、時刻表示２０１のうち、時のみが表示され、分と秒とが消灯されている。図１２（ｅ）は、発電部１０の発電量が、最大発電量の０％〜２０％である場合に、表示部６０が表示する時刻表示２０１を示している。図示する例では、時刻表示２０１のうち、時と、分と、秒との全てが消灯されている。このように、時刻表示２０１の表示内容を少なくすることで、より消費電力を削減することができる。また、セグメントを増やさずに、発電部１０の発電量をより詳細にユーザーに知らせることができる。
【００４３】
また、表示部６０に表示している時刻表示２０１のうち、時と分と秒との間を区切るコロン「：」の形状（大きさ）を変更することで、発電部１０の発電量をより詳細にユーザーに知らせるようにしてもよい。図１３は本実施形態において、発電部１０の発電量に応じて表示を変更する場合の時刻表示２０１の表示例を示した概略図である。図示する例では、発電部１０の発電量を、最大発電量の５０％〜１００％と０％〜５０％との２段階に分類し、分類ごとに時刻表示２０１のうち、時と分と秒との間を区切るコロン２０１１「：」の形状（大きさ）を変更している。なお、分類条件は上記の例に限らず、任意に設定することができる。なお、発電電圧検出部５１が発電部１０の発電量を検出し、検出した発電部１０の発電量に基づいて、表示制御部５３が表示部６０に表示する時刻表示２０１の表示内容を制御する。
【００４４】
図１３（ａ）は、発電部１０の発電量が、最大発電量の５０％〜１００％である場合に、表示部６０が表示する時刻表示２０１を示している。図示する例では、時刻表示２０１のうち、時と、分と、秒との間を区切るコロン２０１１「：」は、正方形の点が２つ並んでいる。図１３（ｂ）は、発電部１０の発電量が、最大発電量の０％〜５０％である場合に、表示部６０が表示する時刻表示２０１を示している。図示する例では、時刻表示２０１のうち、時と、分と、秒との間を区切るコロン２０１１「：」は、長方形の点が２つ並んでいる。この場合にはコロン２０１１の形状を変化させるだけであるため、セグメントを増やさずに、発電部１０の発電量をより詳細にユーザーに知らせることができる。
【００４５】
上述したとおり、本実施形態によれば、発電電圧検出部５１は、発電部１０が発電した電力の電圧を検出し、蓄電電圧検出部５２は、蓄電部２０が出力する電力の電圧を検出する。また、表示制御部５３は、発電電圧検出部５１が検出した発電部１０が発電した電力の電圧と、蓄電電圧検出部５２が検出した蓄電部２０が出力する電力の電圧とに基づいて表示部６０の表示内容を変更する。従って、電子時計１は、発電部１０が発電した電力を動作に用いているのか、蓄電部２０が蓄電した電力を動作に用いているのかをユーザーに知らせつつ、蓄電部の充電を行うべきか否かをユーザーに知らせることができる。
【００４６】
また、本実施形態によれば、発電電圧検出部５１は、発電部１０の発電量を検出する。また、表示制御部５３は、発電電圧検出部５１が検出した発電部１０の発電量に基づいて表示部６０の表示内容を変更する。従って、電子時計１は、発電部１０の発電量をより詳細にユーザーに知らせることができる。
【００４７】
また、本実施形態によれば、蓄電電圧検出部５２は、蓄電部２０の蓄電量を検出する。また、表示制御部５３は、蓄電電圧検出部５２が検出した蓄電部２０の蓄電量に基づいて表示部６０の表示内容を変更する。従って、電子時計１は、蓄電部２０の蓄電量をより詳細にユーザーに知らせることができる。
【００４８】
なお、上述した電子時計１が備える各部の機能全体あるいはその一部は、これらの機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、ＯＳや周辺機器等のハードウェアを含むものとする。
【００４９】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶部のことをいう。さらに「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【００５０】
以上、本発明の一実施形態について説明したが、本発明は、上記実施形態に限定されるものではなく、本発明の趣旨を逸脱しない範囲において種々の変更を加えることが可能である。例えば、表示部６０が表示する表示内容は、上述した例に限らず、発電部１０が発電した電力を動作に用いているかをユーザーに知らせることができる表示内容や、蓄電部２０が蓄電した電力を動作に用いているのかをユーザーに知らせることができる表示内容や、発電部１０の発電量をユーザーに知らせることができる表示内容や、蓄電部２０の蓄電量をユーザーに知らせることができる表示内容であれば、どのような表示内容でもよい。また、上述した実施形態では、電子機器の例として、図１に示すような電子時計１を例に説明したが、これに限らず、どのような電子機器でもよい。
【符号の説明】
【００５１】
１・・・電子時計、１０・・・発電部、２０・・・蓄電部、３０・・・時計部、４０・・・記憶部、５０・・・制御部、５１・・・発電電圧検出部、５２・・・蓄電電圧検出部、５３・・・表示制御部、６０・・・表示部、２０１・・・時刻表示、２０２・・・太陽マーク、２０３・・・電池マーク
【図１】
2012251945.tif 000003
【図２】
2012251945.tif 000004
【図３】
2012251945.tif 000005
【図４】
2012251945.tif 000006
【図５】
2012251945.tif 000007
【図６】
2012251945.tif 000008
【図７】
2012251945.tif 000009
【図８】
2012251945.tif 000010
【図９】
2012251945.tif 000011
【図１０】
2012251945.tif 000012
【図１１】
2012251945.tif 000013
【図１２】
2012251945.tif 000014
【図１３】
2012251945.tif 000015